(57)【要約】  【課題】  クリップがリモコン本体に着脱可能であり、衣服等に取り付けた状態でリモコン本体とコードとが常に一定の上下方向を向き、使い勝手が良く、見栄え良く線処理ができるリモコン装置を提供することである。  【解決手段】  リモコン装置は、リモコン本体１と、固定用のクリップ９と、リモコン本体１に設けられた突起６と、突起６のリモコン本体１とは反対側に形成され、突起６よりも大径のフランジ７とを備え、クリップ９は、互いに対向し付勢し合う２つのクリップ片９ａ、９ｂを有し、クリップ片９ａに、フランジ７が挿脱可能な第１の孔１０と、第１の孔１０から延在し突起６が挿通可能でフランジ７が挿脱不可能な第２の孔１１と、第２の孔１１の第１の孔１０とは反対側の端部に第２の孔１１の幅よりも大きく且つフランジ７が挿脱不可能な第３の孔１３とを設けた構成とする。【選択図】      図９
2006245708.tif 000002
【特許請求の範囲】
【請求項１】
携帯用電子機器にコードで接続されたリモコン本体と固定用のクリップとを備え、前記携帯用電子機器を遠隔操作するリモコン装置において、
前記リモコン本体に設けられた突起と、該突起の前記リモコン本体とは反対側に形成され、前記突起よりも大径のフランジとを備え、
前記クリップは、互いに対向し付勢し合う２つのクリップ片を有し、該クリップ片の一方に、前記フランジが挿脱可能な第１の孔と、該第１の孔から延在し前記突起が挿通可能で前記フランジが挿脱不可能な第２の孔とを設けたことを特徴とするリモコン装置。
【請求項２】
前記第１の孔が円形であり、前記第２の孔が直線状であり、前記フランジが円板形状であることを特徴とする請求項１記載のリモコン装置。
【請求項３】
前記第２の孔の前記第１の孔とは反対側の端部に、前記第２の孔の幅よりも大きく、且つ前記フランジが挿脱不可能な第３の孔を設けたことを特徴とする請求項１又は２記載のリモコン装置。
【請求項４】
前記第３の孔が円形であることを特徴とする請求項３記載のリモコン装置。
【請求項５】
前記突起が直方体であり、前記突起の前記フランジに繋がる面における短辺が前記第２の孔の幅より短く、長辺が前記第２の孔の幅より長いことを特徴とする請求項３又は４記載のリモコン装置。
【発明の詳細な説明】
【技術分野】
【０００１】
本発明は、携帯用電子機器にコードで接続されたリモコン本体と固定用のクリップとを備え携帯用電子機器を遠隔操作するリモコン装置に関するものである。
【背景技術】
【０００２】
一般に、携帯用電子機器であるポータブルＭＤ（Mini Disc）プレーヤやポータブルＣＤ（Compact Disc）プレーヤ等には、遠隔操作用にリモコン装置が備えられている。そして、リモコン装置は携帯用電子機器とヘッドホンとを接続するコードの途中に配置される。このようなリモコン装置には、衣服等に固定するためのクリップが設けられており、リモコン装置の使い勝手を向上させている。
【０００３】
図１２に、従来のリモコン装置の正面図、図１３に、従来のリモコン装置の右側面図、図１４に、従来のリモコン装置の底面図を示す。このリモコン装置１００では、リモコン本体１０１とクリップ１０２が一体となっており、クリップ１０２を取り外すことはできない。
【０００４】
また特許文献１には、リモコン装置本体とクリップとが着脱自在に設けられ、かつクリップが２通りの方向に取り付けられるリモコン装置が開示されている。
【０００５】
また特許文献２には、リモコンとクリップとが着脱可能で、かつクリップをラバーリングに装着して、リモコンのクリップ係止部に取り付けることで、ラバーリングの弾性力と取り付け状態の遊びの範囲内でクリップの向きを自由に変えられる携帯用電子機器のコード付きリモコンの保持構造が開示されている。
【特許文献１】特開２００４−９５９１９号公報
【特許文献２】登録実用新案第３０５４６４６号公報
【発明の開示】
【発明が解決しようとする課題】
【０００６】
図１２〜図１４に示すような、リモコン本体１０１とクリップ１０２が一体のリモコン装置１００を衣服の前立て部に取り付ける場合、男性用と女性用の前立て部の上下が逆であるため、リモコン装置１００の取り付けがどちらかで逆になり不便である。また、リモコン装置１００を衣服に取り付けずにぶら下げておく場合にはクリップ１０２が邪魔になるという問題もある。
【０００７】
また特許文献１や特許文献２では、取り付けるリモコン装置の方向を変えることにより、上記の問題は解決できるが、リモコン装置を衣服や鞄に取り付けた場合に、リモコン装置本体とコードとを常に一定の上下方向に向けることはできない。そのため、リモコン装置とコードとが水平方向や斜め方向を向くのでリモコン装置の表示部を見る場合には毎回、表示部を見やすい方向に向けるようにリモコン装置本体を持ち直さなければならない。また、リモコン装置本体とコードとの重さで、リモコン装置を取り付けた部分の衣服の前立て部やポケットがよじれるという問題もある。更に、様々な方向に向いたコードの線処理が難しいとともに、外観上見苦しいという問題もある。
【０００８】
そこで本発明は、クリップがリモコン本体に着脱可能であり、衣服等に取り付けた状態でリモコン本体とコードとが常に一定の上下方向を向き、使い勝手が良く、見栄え良く線処理ができるリモコン装置を提供することを目的とする。
【課題を解決するための手段】
【０００９】
上記目的を達成するために本発明のリモコン装置は、リモコン本体に設けられた突起と、該突起のリモコン本体とは反対側に形成され、突起よりも大径のフランジとを備え、クリップは、互いに対向し付勢し合う２つのクリップ片を有し、該クリップ片の一方に、フランジが挿脱可能な第１の孔と、該第１の孔から延在し突起が挿通可能でフランジが挿脱不可能な第２の孔とを設けたことを特徴とする。
【００１０】
この構成によると、クリップがリモコン本体に着脱可能である。また、リモコン本体を組み付けたクリップを衣服に取り付けると、リモコン本体とコードとが常に一定の上下方向（重力方向）を向く。
【００１１】
例えば、第１の孔は円形、前記第２の孔は直線状、フランジは円板形状とすることができる。
【００１２】
また上記のリモコン装置において、第２の孔の第１の孔とは反対側の端部に、第２の孔の幅よりも大きく、且つフランジが挿脱不可能な第３の孔を設けることが望ましい。
【００１３】
この構成によると、クリップを横や斜めに取り付けた場合にリモコン本体が揺れても突起が第３の孔に引っ掛かり第２の孔へ戻りにくい。従って、リモコン本体がクリップから外れ落ちにくいという特長を有する。例えば、第３の孔は円形とすることができる。
【００１４】
また上記のリモコン装置において、突起が直方体であり、突起のフランジに繋がる面における短辺が第２の孔の幅より短く、長辺が第２の孔の幅より長いことが望ましい。
【００１５】
この構成によると、突起は一定方向でしか第２の孔を挿通できないので、リモコン本体の揺れが大きくても突起が第３の孔から第２の孔へ戻りにくい。従って、リモコン本体がクリップからより外れ落ちにくくなる。
【発明の効果】
【００１６】
本発明によれば、クリップがリモコン本体に着脱可能であり、リモコン本体を組み付けたクリップを衣服に取り付けた場合に、リモコン本体とコードとが常に一定の上下方向を向くので、表示部を視認し易く操作性も向上し使い勝手が良く、見栄え良く線処理ができるリモコン装置を提供できる。
【発明を実施するための最良の形態】
【００１７】
携帯用電子機器のリモコン装置は、表示部や操作部を備えたリモコン本体と、衣服などに固定するクリップとから構成される。クリップはリモコン本体に着脱可能である。以下、リモコン本体とクリップの実施形態について説明する。
【００１８】
〈第１の実施形態〉
第１の実施形態は、リモコン本体の一形態である。図１は、第１の実施形態のリモコン本体の正面図、図２は、その上面図、図３は、その底面図、図４は、その背面図、図５は、その右側面図である。
【００１９】
リモコン本体１は、樹脂等からなる上キャビネット２ａと下キャビネット２ｂとで覆われ、略円柱形状をしている。リモコン本体１の右側面には、コードブッシュ４を有するコード３が接続されている。コード３の他端は携帯用電子機器（不図示）に接続されている。そしてリモコン本体１の上面には、携帯用電子機器の操作状態や動作状態を表示する液晶の表示部５が設けられている。
【００２０】
またリモコン本体１の底面、つまり下キャビネット２ｂの底面には、突起６が設けられる。更に、突起６のリモコン本体１とは反対側には、突起６よりも大径のフランジ７が形成されている。突起６及びフランジ７の材料としては樹脂等を用いることができる。なお、下キャビネット２ｂと突起６とフランジ７とは一体成型してもよいし、それぞれ別部品としてもよい。突起６及びフランジ７の形状や大きさや位置については後述する。またリモコン本体１の正面及び背面には、各種操作部８ａ〜８ｄが設けられている。
【００２１】
〈第２の実施形態〉
第２の実施形態は、クリップの一形態である。図６は、第２の実施形態のクリップの斜視図である。クリップ９は、互いに対向し付勢し合う２つのクリップ片９ａ、９ｂからなる。図６では、クリップ９は板バネ等をヘアピン形状に曲げたものである。これにより、クリップ片９ａ、９ｂはバネとして機能し、互いに付勢し合う。
【００２２】
クリップ片９ａには、リモコン本体１のフランジ７が挿脱可能な第１の孔１０が設けられている。第１の孔１０は、図６に示すように、円形とすることができる。更に、リモコン本体１の突起６が挿通可能でフランジ７が挿脱不可能な第２の孔１１が、第１の孔１０から延在している。第２の孔１１は、図６に示すように直線状とすることができる。
【００２３】
次に、第１の実施形態のリモコン本体１と第２の実施形態のクリップ９とを組み合わせたリモコン装置について説明する。図７は、第１の実施形態のリモコン本体１と第２の実施形態のクリップ９とを組み合わせたリモコン装置の上面図である。図７はクリップ９をシャツの胸ポケット等に縦に固定した状態を示している。
【００２４】
リモコン本体１のフランジ７及び突起６をクリップ９の第１の孔１０に挿入し、続いて突起６を第２の孔１１に挿通して第２の孔１１の端部まで移動させる（図７の状態）。
【００２５】
そのため、フランジ７は、第１の孔１０よりも小さく、且つ第２の孔１１の幅よりも大きくなければならない。リモコン本体１をクリップ９に挿脱可能にするとともに、第２の孔１１からフランジ７が抜けてリモコン本体１が脱落しないようにするためである。そしてフランジ７は第１の孔１０と同形状であることが望ましく、例えば円板形状とすることができる。なおフランジ７は、クリップ９の内側に突出することになるので、クリップ９の固定機能を妨げないように設計範囲内においてできるだけ薄く小さいことが望ましい。
【００２６】
また、突起６は、フランジ７より小径で、第２の孔１１の幅よりも小さく、且つクリップ片９ａの厚みよりも長くなければならない。突起６を第２の孔１１に挿通可能にするためである。なお、突起６の形状には特に限定はなく、例えば円柱や角柱とすることができる。そして突起６は、リモコン本体１の底面であって、リモコン本体１の重心位置から見てコード３の引き出し位置とは反対側に設けることが望ましい。より望ましくは、リモコン本体１の重心位置から遠くに設けることである。これにより、リモコン本体１を組み付けたクリップ９を図７のように衣服に取り付けると、リモコン本体１とコード３とが常に一定の上下方向（重力方向）を向く。その結果、表示部５を視認し易く操作性も向上し使い勝手が良く、見栄え良く線処理ができるリモコン装置を提供できる。
【００２７】
〈第３の実施形態〉
第３の実施形態は、クリップの一形態である。図８は、第３の実施形態のクリップの斜視図である。クリップ１２は、第２の実施形態のクリップ９と同様に、互いに対向し付勢し合う２つのクリップ片１２ａ、１２ｂからなる。そしてクリップ片１２ａには、第２の実施形態のクリップ９と同様に、第１の孔１０と第２の孔１１とが設けられている。
【００２８】
更に、第２の孔１１の第１の孔１０とは反対側の端部に、第２の孔１１の幅よりも大きく、且つフランジ７が挿脱不可能な、換言すればフランジ７よりも小さい、第３の孔１３が設けられている。第３の孔１３は、図８に示すように、円形とすることができる。
【００２９】
次に、第１の実施形態のリモコン本体１と第３の実施形態のクリップ１２とを組み合わせたリモコン装置について説明する。図９は、第１の実施形態のリモコン本体１と第３の実施形態のクリップ１２とを組み合わせたリモコン装置の上面図である。図９はクリップ９をシャツの前立て部等に横に固定した状態を示している。
【００３０】
リモコン本体１のフランジ７及び突起６をクリップ９の第１の孔１０に挿入し、続いて突起６を第２の孔１１に挿通して第３の孔１３まで移動させる（図９の状態）。
【００３１】
これにより、リモコン本体１を組み付けたクリップ１２を図９のように衣服に取り付けると、リモコン本体１とコード３とが常に一定の上下方向（重力方向）を向く。その結果、表示部５を視認し易く操作性も向上し使い勝手が良く、見栄え良く線処理ができるリモコン装置を提供できる。更に、第３の孔１３が第２の孔１１の幅よりも大きいので、クリップ１２を横や斜めに取り付けた場合にリモコン本体１が揺れても突起６が第３の孔１３に引っ掛かり第２の孔１１へ戻りにくい。従って、リモコン本体１がクリップ１２から外れ落ちにくいという特長も有する。
【００３２】
〈第４の実施形態〉
第１の実施形態は、リモコン本体の一形態である。図１０は、第４の実施形態のリモコン本体の底面図である。リモコン本体１４の突起１５以外の構成は第１の実施形態のリモコン本体１と同様である。
【００３３】
突起１５は、フランジ７より小径の直方体であり、突起１５のフランジ７に繋がる面における短辺が第２の孔１１の幅より短く、長辺が第２の孔１１の幅より長い。更に突起１５は、突起６と同様にクリップ片９ａ、１２ａの厚みよりも長くなければならない。突起６を第２の孔１１に挿通可能にするためである。そして突起１５は、リモコン本体１４の底面であって、リモコン本体１４の重心位置から見てコード３の引き出し位置とは反対側に設けることが望ましい。より望ましくは、リモコン本体１４の重心位置から遠くに設けることである。これにより、リモコン本体１と同様の効果を得ることができる。
【００３４】
次に、第４の実施形態のリモコン本体１４と第３の実施形態のクリップ１２とを組み合わせたリモコン装置について説明する。図１１は、第４の実施形態のリモコン本体と第３の実施形態のクリップとを組み合わせたリモコン装置の上面図である。図１１はクリップ１２をシャツの前立て部等に横に固定した状態を示している。
【００３５】
リモコン本体１４のフランジ７及び突起１５をクリップ１２の第１の孔１０に挿入し、続いて突起１５を第２の孔１１に挿通して第３の孔１３まで移動させる（図１１の状態）。その際、突起１５を第２の孔１１に挿通させるには、突起１５のフランジ７に繋がる面における長辺が第２の孔１１と平行な状態にしなければ挿通できない。
【００３６】
これにより、リモコン本体１４を組み付けたクリップ１２を図１１のように衣服に取り付けると、リモコン本体１４とコード３とが常に一定の上下方向（重力方向）を向く。その結果、表示部５を視認し易く操作性も向上し使い勝手が良く、見栄え良く線処理ができるリモコン装置を提供できる。また、第３の孔１３が第２の孔１１の幅よりも大きいので、クリップ１２を横や斜めに取り付けた場合にリモコン本体１が揺れても突起６が第３の孔１３に引っ掛かり第２の孔１１へ戻りにくい。従って、リモコン本体１がクリップ１２から外れ落ちにくいという特長も有する。更に、突起１５は一定方向でしか第２の孔１１を挿通できないので、リモコン本体１４の揺れが大きくても突起１５が第３の孔１３から第２の孔１１へ戻りにくい。従って、リモコン本体１４がクリップ１２からより外れ落ちにくくなる。
【産業上の利用可能性】
【００３７】
本発明のリモコン装置は、ポータブルＭＤプレーヤやポータブルＣＤプレーヤ等の携帯用電子機器の遠隔操作用に利用することができる。
【図面の簡単な説明】
【００３８】
【図１】第１の実施形態のリモコン本体の正面図である。
【図２】第１の実施形態のリモコン本体の上面図である。
【図３】第１の実施形態のリモコン本体の底面図である。
【図４】第１の実施形態のリモコン本体の背面図である。
【図５】第１の実施形態のリモコン本体の右側面図である。
【図６】第２の実施形態のクリップの斜視図である。
【図７】第１の実施形態のリモコン本体と第２の実施形態のクリップとを組み合わせたリモコン装置の上面図である。
【図８】第３の実施形態のクリップの斜視図である。
【図９】第１の実施形態のリモコン本体と第３の実施形態のクリップとを組み合わせたリモコン装置の上面図である。
【図１０】第４の実施形態のリモコン本体の底面図である。
【図１１】第４の実施形態のリモコン本体と第３の実施形態のクリップとを組み合わせたリモコン装置の上面図である。
【図１２】従来のリモコン装置の正面図である。
【図１３】従来のリモコン装置の右側面図である。
【図１４】従来のリモコン装置の底面図である。
【符号の説明】
【００３９】
１、１４    リモコン本体
２ａ    上キャビネット
２ｂ    下キャビネット
３    コード
６、１５    突起
７    フランジ
９、１２    クリップ
１０    第１の孔
１１    第２の孔
１３    第３の孔
【図１】
2006245708.tif 000003
【図２】
2006245708.tif 000004
【図３】
2006245708.tif 000005
【図４】
2006245708.tif 000006
【図５】
2006245708.tif 000007
【図６】
2006245708.tif 000008
【図７】
2006245708.tif 000009
【図８】
2006245708.tif 000010
【図９】
2006245708.tif 000011
【図１０】
2006245708.tif 000012
【図１１】
2006245708.tif 000013
【図１２】
2006245708.tif 000014
【図１３】
2006245708.tif 000015
【図１４】
2006245708.tif 000016